(57)【要約】【課題】  プリント基板のコネクタに形成されたガイド穴の位置に拘わらず、容易にプリント基板を取り付けることができる基板取り付け機構を提供する。【解決手段】  プリント基板が装着される治具プリント基板と前記治具プリント基板に取り付けられると共に前記プリント基板の誤挿入を防止するガイドピンブロックとを備えた基板取り付け機構において、  前記ガイドピンブロックの中央から離れた位置に垂直に固着されるガイドピンと、  前記ガイドピンブロックの前記ガイドピンが固着された面の反対面に取り付けられる位置決めピンと、  前記位置決めピンが嵌合する位置決め穴が形成されると共に、貫通穴が形成された治具プリント基板と、  前記治具プリント基板の貫通穴を貫通し、ガイドピンブロックの位置決めピンが取り付けられた面の中央付近に先端部が固定される軸が形成された回転つまみと、  前記ガイドピンブロックと治具プリント基板が密着するように付勢する弾性部材と  を備える。  【選択図】                    図１
2006339432.tif 000002
【特許請求の範囲】
【請求項１】
プリント基板が装着される治具プリント基板と前記治具プリント基板に取り付けられると共に前記プリント基板の誤挿入を防止するガイドピンブロックとを備えた基板取り付け機構において、
前記ガイドピンブロックの中央から離れた位置に垂直に固着されるガイドピンと、
前記ガイドピンブロックの前記ガイドピンが固着された面の反対面に取り付けられる位置決めピンと、
前記位置決めピンが嵌合する位置決め穴が形成されると共に、貫通穴が形成された治具プリント基板と、
前記治具プリント基板の貫通穴を貫通し、ガイドピンブロックの位置決めピンが取り付けられた面の中央付近に先端部が固定される軸が形成された回転つまみと、
前記ガイドピンブロックと治具プリント基板が密着するように付勢する弾性部材と
を備えたことを特徴とする基板取り付け機構。
【請求項２】
プリント基板のガイド穴に挿入されるガイドピンと、
前記ガイドピンを中央から離れた位置で垂直に固着するガイドピンブロックと、
前記ガイドピンブロックの、前記ガイドピンが固着された面の反対面に取り付けられる位置決めピンと、
前記位置決めピンが嵌合する位置決め穴が形成されると共に、貫通穴が形成された治具プリント基板と、
前記治具プリント基板の貫通穴を貫通し、ガイドピンブロックの位置決めピンが取り付けられた面の中央付近に先端部が固定される軸が形成された回転つまみと、
前記ガイドピンブロックと治具プリント基板が密着するように付勢する弾性部材と
を備えたことを特徴とする基板取り付け機構。
【請求項３】
前記位置決めピンは、前記ガイドピンブロック１２の長手方向に対向するように取り付けられた一対の位置決めピンであり、前記位置決め穴は、前記位置決めピンを嵌合する一対の位置決め穴であることを特徴とする請求項１又は２記載の基板取り付け機構。
【請求項４】
前記位置決めピン及び前記位置決め穴を複数備えたことを特徴とする請求項１乃至３のいずれかに記載の基板取り付け機構。
【請求項５】
前記回転つまみを前記治具プリント基板の方向に押圧して前記位置決めピンを前記位置決め穴から抜脱し、
この状態で前記回転つまみを回転した後、前記回転つまみの押圧を開放して前記位置決めピンを嵌合させ、前記ガイドピンブロックに固着された前記ガイドピンの位置を変更することを特徴とする請求項１乃至４のいずれかに記載の基板取り付け機構。
【請求項６】
前記回転つまみを前記治具プリント基板の方向に押圧して前記一対の位置決めピンを前記一対の位置決め穴から抜脱し、
この状態で前記回転つまみを１８０度回転した後、前記回転つまみの押圧を開放して前記位置決めピンを嵌合させ、前記ガイドピンブロックに固着された前記ガイドピンの位置を変更することを特徴とする請求項１乃至４のいずれかに記載の基板取り付け機構。
【請求項７】
前記ガイドピンブロックは、前記回転つまみに形成された軸の先端部が当接する位置に凹部が形成され、この凹部で回転つまみに形成された軸の先端部を嵌挿することを特徴とする請求項１乃至５のいずれかに記載の基板取り付け機構。
【請求項８】
前記弾性部材はバネであることを特徴とする請求項１乃至７記載の基板取り付け機構。
【請求項９】
前記バネは、前記回転つまみに形成された軸に嵌通されて、一端が前記回転つまみに当接し、他端が前記治具プリント基板の貫通穴の外周近傍に当接して、前記ガイドピンブロックが前記治具プリント基板に密着するように付勢することを特徴とする請求項８記載の基板取り付け機構。
【請求項１０】
前記バネは、前記ガイドピンブロックの位置決めピンが取り付けられた面の中央付近と前記治具プリント基板の貫通穴の間に設けられ、前記回転つまみに形成された軸で嵌通され、前記ガイドピンブロックが前記治具プリント基板に密着するように付勢することを特徴とする請求項８記載の基板取り付け機構。
【請求項１１】
プリント基板のガイド穴に挿入されるガイドピンと、
前記ガイドピンを中央から離れた位置で垂直に固着すると共に、このガイドピンが固着された面とは反対面の中央付近に凹部が形成されたガイドピンブロックと、
前記ガイドピンブロック１２の凹部が形成された面の長手方向に対向するように取り付けられた一対の位置決めピンと、
前記一対の位置決めピンが嵌合する一対の位置決め穴が形成され、この一対の位置決め穴が前記一対の位置決めピンと嵌合することにより前記ガイドピンブロックを系止すると共に、前記ガイドピンブロックの凹部と中心軸を共通とする貫通穴が形成された治具プリント基板と、
前記治具プリント基板の貫通穴を貫通し、先端部が前記ガイドピンブロックの凹部で嵌挿される軸が形成された回転つまみと、
前記回転つまみに形成された軸に嵌通されて一端が前記回転つまみに当接し、他端が前記治具プリント基板の貫通穴の外周近傍に当接して、前記ガイドピンブロックが前記治具プリント基板に密着するように付勢するバネと
を備えたことを特徴とする基板取り付け機構。
【発明の詳細な説明】
【技術分野】
【０００１】
本発明は、半導体テスタの試験治具における基板取り付け機構に関し、特にプリント基板のコネクタに形成されたガイド穴の位置に拘わらず、容易にプリント基板を取り付けることができる基板取り付け機構に関する。
【背景技術】
【０００２】
半導体テスタは回路構成が異なる多種類のプリント基板を複数実装することにより構成される。また、これらのプリント基板の電気的な試験を行う際には、試験用の治具プリント基板が使用される。したがって、試験用の治具プリント基板はこれら多種類のプリント基板を実装することができ、誤挿入を防止できる機構である必要がある。従来の基板取り付け機構の先行技術文献としては特許文献１のようなものがある。
【０００３】
【特許文献１】特開平０１―１９８０９８号公報
【０００４】
以下、従来の基板取り付け機構について説明する。図７は従来における基板取り付け機構の斜視図である。基板取り付け機構１は、プリント基板２０の誤挿入を防止する。治具プリント基板２はプリント基板２０と装着される。
【０００５】
ガイドピン３は、土台となるガイドピンブロック３ａによって治具プリント基板２に対して垂直方向に突出して取り付けられる。ガイドレール４はプリント基板２０を装着する際に使用される。つまり、プリント基板２０を実装する際は、プリント基板２０の側面をガイドレール４に沿ってスライドさせ、ガイドピン３をコネクタ２１に形成されたガイド穴２２に挿入することによって行われる。
【０００６】
次に、ガイドピン３の拡大状態図について図８を参照して説明する。図８において（ａ）は側面図、（ｂ）は正面図である。ガイドピン３は通常時ガイドピン３の土台となるガイドピンブロック３ａで治具プリント基板２に形成され一対の穴を介して固定ネジ５で固定されている。
【発明の開示】
【発明が解決しようとする課題】
【０００７】
しかしながら、従来の基板取り付け機構ではプリント基板２０とは異なるプリント基板を実装する場合には、通常、ガイド穴２２の位置も異なるため、固定ネジ５を取り外してガイド穴２２の位置に適合する新たなガイドピンブロックを用意するか、試験治具一式を交換することが必要とされた。
【０００８】
本発明は、これらの問題点に鑑みてなされたものであり、プリント基板のコネクタに形成されたガイド穴の位置に拘わらず、プリント基板を容易に治具プリント基板に取り付けることができる基板取り付け機構を提供することを目的とする。
【課題を解決するための手段】
【０００９】
このような課題を達成するために請求項１記載の発明は、
プリント基板が装着される治具プリント基板と前記治具プリント基板に取り付けられると共に前記プリント基板の誤挿入を防止するガイドピンブロックとを備えた基板取り付け機構において、
前記ガイドピンブロックの中央から離れた位置に垂直に固着されるガイドピンと、
前記ガイドピンブロックの前記ガイドピンが固着された面の反対面に取り付けられる位置決めピンと、
前記位置決めピンが嵌合する位置決め穴が形成されると共に、貫通穴が形成された治具プリント基板と、
前記治具プリント基板の貫通穴を貫通し、ガイドピンブロックの位置決めピンが取り付けられた面の中央付近に先端部が固定される軸が形成された回転つまみと、
前記ガイドピンブロックと治具プリント基板が密着するように付勢する弾性部材と
を備える。
【００１０】
請求項２記載の発明は、
プリント基板のガイド穴に挿入されるガイドピンと、
前記ガイドピンを中央から離れた位置で垂直に固着するガイドピンブロックと、
前記ガイドピンブロックの、前記ガイドピンが固着された面の反対面に取り付けられる位置決めピンと、
前記位置決めピンが嵌合する位置決め穴が形成されると共に、貫通穴が形成された治具プリント基板と、
前記治具プリント基板の貫通穴を貫通し、ガイドピンブロックの位置決めピンが取り付けられた面の中央付近に先端部が固定される軸が形成された回転つまみと、
前記ガイドピンブロックと治具プリント基板が密着するように付勢する弾性部材と
を備える。
【００１１】
請求項３記載の発明は、請求項１又は２記載の基板取り付け機構において、
前記位置決めピンは、前記ガイドピンブロック１２の長手方向に対向するように取り付けられた一対の位置決めピンであり、前記位置決め穴は、前記位置決めピンを嵌合する一対の位置決め穴である。
【００１２】
請求項４記載の発明は、請求項１乃至３のいずれかに記載の基板取り付け機構において、
前記位置決めピン及び前記位置決め穴を複数備える。
【００１３】
請求項５記載の発明は、請求項１乃至４のいずれかに記載の基板取り付け機構において、
前記回転つまみを前記治具プリント基板の方向に押圧して前記位置決めピンを前記位置決め穴から抜脱し、
この状態で前記回転つまみを回転した後、前記回転つまみの押圧を開放して前記位置決めピンを嵌合させ、前記ガイドピンブロックに固着された前記ガイドピンの位置を変更する。
【００１４】
請求項６記載の発明は、請求項１乃至４のいずれかに記載の基板取り付け機構において、
前記回転つまみを前記治具プリント基板の方向に押圧して前記一対の位置決めピンを前記一対の位置決め穴から抜脱し、
この状態で前記回転つまみを１８０度回転した後、前記回転つまみの押圧を開放して前記位置決めピンを嵌合させ、前記ガイドピンブロックに固着された前記ガイドピンの位置を変更する。
【００１５】
請求項７記載の発明は、請求項１乃至５のいずれかに記載の基板取り付け機構において、
前記ガイドピンブロックは、前記回転つまみに形成された軸の先端部が当接する位置に凹部が形成され、この凹部で回転つまみに形成された軸の先端部を嵌挿する。
【００１６】
請求項８記載の発明は、請求項１乃至７のいずれかに記載の基板取り付け機構において、
前記弾性部材はバネである。
【００１７】
請求項９記載の発明は、請求項８記載の基板取り付け機構において、
前記バネは、前記回転つまみに形成された軸に嵌通されて、一端が前記回転つまみに当接し、他端が前記治具プリント基板の貫通穴の外周近傍に当接して、前記ガイドピンブロックが前記治具プリント基板に密着するように付勢する。
【００１８】
請求項１０記載の発明は、請求項８記載の基板取り付け機構において
前記バネは、前記ガイドピンブロックの位置決めピンが取り付けられた面の中央付近と前記治具プリント基板の貫通穴の間に設けられ、前記回転つまみに形成された軸で嵌通され、前記ガイドピンブロックが前記治具プリント基板に密着するように付勢する。
【００１９】
請求項１１記載の発明は、
プリント基板のガイド穴に挿入されるガイドピンと、
前記ガイドピンを中央から離れた位置で垂直に固着すると共に、このガイドピンが固着された面とは反対面の中央付近に凹部が形成されたガイドピンブロックと、
前記ガイドピンブロック１２の凹部が形成された面の長手方向に対向するように取り付けられた一対の位置決めピンと、
前記一対の位置決めピンが嵌合する一対の位置決め穴が形成され、この一対の位置決め穴が前記一対の位置決めピンと嵌合することにより前記ガイドピンブロックを系止すると共に、前記ガイドピンブロックの凹部と中心軸を共通とする貫通穴が形成された治具プリント基板と、
前記治具プリント基板の貫通穴を貫通し、先端部が前記ガイドピンブロックの凹部で嵌挿される軸が形成された回転つまみと、
前記回転つまみに形成された軸に嵌通されて一端が前記回転つまみに当接し、他端が前記治具プリント基板の貫通穴の外周近傍に当接して、前記ガイドピンブロックが前記治具プリント基板に密着するように付勢するバネと
を備える。
【発明の効果】
【００２０】
本発明では、次のような効果がある。
通常使用時にガイドピンブロックと治具プリント基板が密着するように付勢する弾性部材を使用してガイドピンブロックを固定し、ガイドピンの位置を容易に変更できるようにしたので、ガイド穴の位置に拘わらずプリント基板を容易に取り付けることができ、試験用治具の共通化が図れる。
【発明を実施するための最良の形態】
【００２１】
以下、本発明による基板取り付け機構について図１を参照して説明する。図１は本発明による基板取り付け機構の斜視図である。基板取り付け機構１０は、図示しないプリント基板を実装するものである。ガイドピン１１は図示しないプリント基板のコネクタに形成されたガイド穴に挿入される。ガイドピンブロック１２はガイドピン１１を中央から離れた位置で垂直に固着する。なお、中央から離れた位置に固着するのは、後述するガイドピンブロック１２の回転動作を実行した際に、ガイドピンの位置を変更するためである。
【００２２】
凹部１２ａは、ガイドピン１１が固着された面の反対面中央に形成されている。なお、この凹部１２ａは後述する回転つまみ１６に形成された軸１６ａの先端部を嵌挿できれば貫通穴であっても差し支えない。さらに、必ずしも凹部１２ａを設ける必要はなく、接着剤等を使用して、回転つまみ１６に形成された軸１６ａの先端部を接着しても差し支えない。
【００２３】
位置決めピン１３ａ、１３ｂは、ガイドピンブロック１２の凹部１２ａが形成された面の長手方向に対向するように取り付けられる。なお、位置決めピン１３ａ、１３ｂは必ずしも一対で使用する必要はなく、片方のみを形成しても差し支えない。ただし、片方のみを形成した場合には、回転つまみ１６に形成された軸１６ａと後述する治具プリント基板１４に形成される貫通穴１４ａのがたつきを抑制し、ガイドピンブロック１２の通常使用状態における位置ずれを防止する必要がある。
【００２４】
治具プリント基板１４の位置決め穴１５ａ、１５ｂの中間点には、凹部１２ａと中心軸を共通とする貫通穴１４ａが形成されている。また、ガイドピンブロック１２と接触する面には一対の位置決め穴１５ａ、１６ｂが形成されている。そして、これらの穴が位置決めピン１３ａ、１３ｂと嵌合することにより、ガイドピンブロック１２は治具プリント基板１４に係止される。なお、位置決めピン１３ａ、１３ｂをいずれか一つしか設けない場合でも位置決め穴１５ａ、１５ｂは両方とも必要である。
【００２５】
回転つまみ１６には軸１６ａが形成され、軸１６ａは治具プリント基板１４の貫通穴１４ａを貫通し、先端部がガイドピンブロック１２の凹部１２ａで嵌挿される。バネ１７は、回転つまみ１６に形成された軸１６ａに嵌通されて一端が回転つまみ１６に当接し、他端が治具プリント基板１４の貫通穴の外周近傍に当接する。バネ１７の作用によりガイドピンブロック１２が治具プリント基板１４に密着するように付勢される。
【００２６】
なお、通常状態で収縮するバネを、バネ１７の変わりに凹部１２ａと貫通穴１４ａの間に挿入しても差し支えない。この場合、位置決めピン１３ａ、１３ｂを当該バネが挿入される分だけ長く設計するか、凹部１２ａと貫通穴１４ａの少なくともいずれか一方の外周近傍にバネを挿入する凹部を設けることが必要である。
【００２７】
次に、図１のガイドピンブロック１２の回転動作について、図２〜図６を参照して説明する。ここで、図２、図３は  ガイドピンブロック１２と治具プリント基板１４の状態説明図である。
【００２８】
図４はガイドピンブロック１２の回転状態を説明する状態遷移図である。図４（ａ）は通常状態であり、ガイドピン１１の位置は図の左側にある。図４（ｂ）は回転中の状態である。図４（ｃ）は回転後の状態であり、ガイドピンの位置は図の右側にある。
【００２９】
回転動作は、図４（ａ）の通常状態から図３のように回転つまみ１６を治具プリント基板１４の方向に押圧し、位置決めピン１３ａ、１３ｂを位置決め穴１５ａ、１５ｂから抜き外す。そして、回転つまみ１６を図４（ｂ）のように回転させ、１８０度回転させた後回転つまみの押圧を開放して図４（ｃ）の状態としてガイドピン１１の位置を変更する。
【００３０】
このようにガイドピン１１の位置を変更することにより、図５のようにコネクタ３１の外側にガイド穴３２が形成されているプリント基板３０でも、図６のようにコネクタ４１の内側にガイド穴４２が形成されているプリント基板４０でも、治具プリント基板に装着することができる。
【図面の簡単な説明】
【００３１】
【図１】本発明による基板取り付け機構の斜視図である。
【図２】ガイドピンブロック１２と治具プリント基板１４の状態説明図である。
【図３】ガイドピンブロック１２と治具プリント基板１４の状態説明図である。
【図４】ガイドピンブロック１２の回転状態を説明する状態遷移図である。
【図５】コネクタ３１の外側にガイド穴３２が形成されているプリント基板３０の取り付け状態説明図である。
【図６】コネクタ４１の内側にガイド穴４２が形成されているプリント基板４０の取り付け状態説明図である。
【図７】従来技術による基板取り付け機構の斜視図である。
【図８】ガイドピン３の拡大状態図である。
【符号の説明】
【００３２】
１１                ガイドピン
１２                ガイドピンブロック
１３ａ、１３ｂ      位置決めピン
１４                治具プリント基板
１５ａ、１５ｂ      位置決め穴
１６                回転つまみ
１６ａ              軸
１７                バネ
【図１】
2006339432.tif 000003
【図２】
2006339432.tif 000004
【図３】
2006339432.tif 000005
【図４】
2006339432.tif 000006
【図５】
2006339432.tif 000007
【図６】
2006339432.tif 000008
【図７】
2006339432.tif 000009
【図８】
2006339432.tif 000010